(57)【要約】【課題】  使い勝手の良い多層光ディスクおよび該多層光ディスクに対応可能な光ディスク装置を提供することを目的とする。【解決手段】  上記目的は、多層光ディスクの層数に冗長性を持たせることで達成できる。また、光ディスク装置に該多層光ディスクの再生記録手段をもたせることで達成できる。【選択図】  図１
2008204576.tif 000002
【特許請求の範囲】
【請求項１】
複数の情報記録層を有する光ディスクであって、
前記光ディスクが、準拠する規格で規定される情報記録層数よりも多い情報記録層を有し、
前記光ディスクは、準拠する規格で規定される情報記録層数に情報が記録可能な光ディスク。
【請求項２】
請求項１記載の光ディスクであって、
いずれの層が使用可能であり、いずれの層が使用不可能であるかが記録されている、
光ディスク。
【請求項３】
請求項１記載の光ディスクであって、
いずれの層が使用可能であり、いずれの層が使用不可能であるかを判断する領域が存在し、
前記領域に信号を記録した後、該信号を再生した結果から各層の使用可否を判断し、
前記判断結果が記録されている、
光ディスク。
【請求項４】
請求項１記載の光ディスクであって、
前記光ディスクが有する物理的な情報記録層と、準拠する規格で規定される情報記録層との対応関係が記録されている、
光ディスク。
【請求項５】
請求項４記載の光ディスクであって、
前記対応関係が、該ディスクが装置に装填された際に光ビーム入射面に最も近い情報記録層に記録されている、
光ディスク。
【請求項６】
請求項４記載の光ディスクであって、
前記対応関係が、該ディスクが装置に装填された際に光ビーム入射面に最も遠い情報記録層に記録されている、
光ディスク。
【請求項７】
請求項４記載の光ディスクであって、
前記対応関係が、各情報記録層に記録されている、
光ディスク。
【請求項８】
準拠する規格で規定される層数よりも多い情報記録層を有し、該準拠する規格で規定される情報記録層数に情報が記録可能な光ディスクを装着可能な光ディスク装置であって、
光ディスクへ情報を書き込む書込み手段と、
光ディスクから情報を読み出す読出し手段と、
前記読出し手段が読み出した情報を格納するメモリと、
前記書込み手段と読出し手段を制御する制御手段と、
を有し、
前記制御手段は、前記読出し手段により光ディスクから記録層に関する情報を読出し、該情報を前記メモリに格納するよう制御し、該メモリに格納された情報に基づいて前記書込み手段と読み出し手段を制御する、
光ディスク装置。
【発明の詳細な説明】
【技術分野】
【０００１】
本発明は、多層光ディスクおよび多層光ディスクに対応可能な光ディスク装置に関する。
【背景技術】
【０００２】
多層光ディスクとしては、ＤＶＤ、Ｂｌｕ−ｒａｙ、ＨＤ−ＤＶＤなどが知られている。これらの多層光ディスクは、現行製品については準拠する規格で規定する２層ディスクであるが、例えば非特許文献１のように４層、６層の光ディスクについての研究が行われている。
【０００３】
また、本技術分野の背景技術としては、例えば特開２００６−２４４６５８号公報がある。本公報には、「３層以上の記録層を有する光ディスクに安定した記録品質で記録を行う」と記載がある。
【０００４】
【特許文献１】特開２００６−２４４６５８号公報
【非特許文献１】Ｏｐｔｉｃａｌ  Ｄａｔａ  Ｓｔｏｒａｇｅ  Ｔｏｐｉｃａｌ  Ｍｅｅｔｉｎｇ  ２００６予稿集ＴｕＡ３
【発明の開示】
【発明が解決しようとする課題】
【０００５】
従来は、多層光ディスクを作成する際に、当該光ディスクの仕様層数と同数の層数の光ディスクを作成し、光ディスク作成後に各層の品質を評価し、所定の仕様を満たす層数が当該光ディスクの仕様層数よりも少ない場合は、当該光ディスクを廃棄せざるを得なかった。
【０００６】
多層構造を持つ光ディスクは、一般的には記録層と記録層間に位置するスペーサ層を交互に一層ずつ積み重ねて作成する。それぞれの記録層、スペーサ層は所望の特性となるように設計、作成されるが、製造上のばらつきなどにより、すべての層が準拠する規格で規定する仕様を満たすことができないことがある。
【０００７】
一般にディスク特性はディスク作成後に計測されることが多く、この場合、当該ディスク全体が目標仕様を満足するか否かはディスク作成終了後にならないと判明しない。そのため、仮に最初の層の形成時の問題から当該層が目標仕様を満足することができなくなった場合でも、当該層が仕様外れであることを検出できないため、それ以降の層の形成作業を継続せざるを得ない。そしてすべての層の作成が終了した後、ディスク特性を計測し、このとき初めて仕様外れの層が存在が判明することになる。この場合、当該ディスクは廃棄処分とせざるを得ず、ディスク形成後に２層目以降の形成作業は無駄な作業になる。
【０００８】
かかる点については、上記特許文献１および非特許文献１では、なんら考慮がなされていない。
【０００９】
本発明は、使い勝手の良い多層光ディスクおよび該多層光ディスクに対応可能な光ディスク装置を提供することを目的とする。
【課題を解決するための手段】
【００１０】
上記目的は、多層光ディスクの層数に冗長性を持たせることで達成できる。また、光ディスク装置に該多層光ディスクの再生記録手段をもたせることで達成できる。
【発明の効果】
【００１１】
本発明によれば、使い勝手の良い多層光ディスクおよび該多層光ディスクに対応可能な光ディスク装置を提供することができる。
【発明を実施するための最良の形態】
【００１２】
以下、本発明の実施例を図面にて説明する。
【実施例１】
【００１３】
図１は、第１の実施例であり、複数の情報記録層を有する光ディスクであって、複数の情報記録層および層情報記録領域に関する部分の模式図である。
【００１４】
以降では、当該光ディスクが準拠する規格に照らして規格を満たす記録層のことを有効な記録層と呼ぶこととする。なお、従来は、物理的に存在する記録層の数＝論理的情報記録層数＝準拠する規格で規定される情報記録層数という関係が成り立っていたが、本明細書では、物理的に存在する記録層の数≠論理的情報記録層数、準拠する規格で規定される記録層数という関係が成立する場合も含まれる。
【００１５】
準拠する規格で規定される層数が４である光ディスクを作成する場合を例にして説明する。ここでは４層の論理的記録層を持つ光ディスクを作成するため、物理的に５層の記録層を有する光ディスクを作成する場合を例にする。なお、物理的な記録層の数は、論理的記録層の数よりも多ければ良く、５層である必要は無く、例えば６層以上でも構わない。
【００１６】
まず、５層の物理的記録層を有する光ディスクを作成する。該光ディスクの作成にあたっては様々な製造プロセスが用いられるが、多層ディスク作成プロセスそのものは本実施例と直接の関係はないため説明は省略する。
【００１７】
５層の記録層を有する光ディスクを作成した後、各記録層が、準拠する規格で規定される所定の性能を満足するか否かを測定する。測定終了後、各層が満たすべき規格値と測定値を層ごとに比較し、規格値に対する測定値のマージンの大きさを比較する。この作業は層ごとに出来具合の良し悪しを見極め、マージンが大きく出来の良い層から順に層の順位付けを行うためである。
【００１８】
上記、層の順位付けが終了し、５つの記録層のうち５つの層すべてで規格を満たす場合は、前記マージンの大きさの順位の上位から４つの層を、使用を推奨あるいは許可する層（以下、使用可能層）として設定する。
【００１９】
また、５つの記録層のうち４つの層で規格を満たす場合は、該規格を満たす４つの層を使用可能層として設定する。
なお、光ディスクの物理的記録層構成（層配置）と論理的記録層の構成（層配置）とは層番号の順序が同じとなるように対応付けることが一般的であるが、必ずしもこれに限るものではない。例えば最も上記マージンの大きい物理的記録層を論理的記録層の最初の番号に割り当て、以降は２番目にマージンの大きな物理的記録層を論理的記録層の次の番号に割り当てるようにして、マージンの大きい順に論理的記録層の層番号が割り当てられるようにしても良い。この場合、論理的記録層の層番号の順に記録マージンの大きい層番号が割り当てられるため、一般的には層番号と記録品質の関連付けが可能となることが期待できる。従って、必要な記録品質、信頼性等の観点から、層を使い分けることが可能となるという効果も期待できる。
【００２０】
次に、論理的情報記憶層として設定された物理的情報記憶層と、論理的情報記憶層として設定されなかった物理的情報記憶層とを、識別するための記録層情報を当該光ディスクの層情報記録領域に記録する。
【００２１】
なお、該記録層情報は物理的情報記録層と論理的情報記録層との対応を示す対応情報であればよい。
【００２２】
ここで、該記録層情報は多層光ディスクに対応した光ディスク装置が読み出し可能な形態で記録されていれば良く、例えば従来、Ｂｕｒｓｔ  Ｃｕｔｔｉｎｇ  Ａｒｅａ（以下、ＢＣＡ）として知られる情報記録エリアに所定のフォーマットで記録することができる。これにより、現行光ディスク装置との互換性を確保しつつ、ユーザが誤って該記録層情報を消してしまう恐れが低減できる。
【００２３】
また、該記録層情報が光ディスクの光ビーム入射面に最も近い層に記載されるときにはフォーカス引き込みが早く処理でき、再生のときの処理時間が低減できる。
【００２４】
また、該記録層情報が光ディスクの光ビーム入射面に最も遠い層に記載されるときには、当該記録層は他の記録層と異なりレーザ光を透過させる必要がないため記録層の設計の自由度が高く、一般的に他の記録層よりも良好な再生信号が得られやすいため、該記録層情報の信頼性が高くできるという効果が得られる。
【００２５】
また、該記録層情報が各層の全てに記載されるときには、光ピックアップがどの層にいても、記録層情報をすばやく得ることができる。
【００２６】
図３は一例として光ディスクの光ビーム入射面に最も近い層と最も遠い層の２つの層に記録層情報が存在する場合を示す。層１と層５のそれぞれの層情報記録領域にある使用可能層情報を記録する領域に同一の使用可能層情報を記録する。この場合は、使用可能層情報が複数存在するため、どちらか片方の使用可能層情報が正しく再生できれば良いため、ディスクの欠陥や傷つきなどでいずれか片方の使用可能層情報が読めなくなった場合でも正常に再生できた使用可能層情報を用いて、必要な処理を行うことができ、信頼性の向上が図れるという効果が得られる。
【００２７】
また、該記録層情報は多層光ディスクに対応した光ディスク装置が読み出し可能な形態で記録されていれば良く、例えば光ディスクの固有の識別情報（以下、ＩＤ情報）を記録する情報記録エリアに所定のフォーマットで記録しても良い。
図４は該記録層情報の格納方法の一例を示す模式図である。記録層情報はリードインブロックのうちディスク情報が含まれる部分に格納される。またこのディスク情報が含まれる部分には、多層ディスクであることを示す情報も格納される。
【００２８】
このように多層光ディスクの層数に冗長性を持たせることで、１つ以上の層が準拠する規格で規定される仕様を満たさない場合でも、当該光ディスク全体としては仕様を満たすことが可能となり、良品として取り扱うことが出来るため廃棄をしなくて済む。従って、ディスク作成における歩留まりの向上が可能となり、また、不良品の廃棄に伴う環境負荷を低減することが可能となる。また、ディスクメーカは、不良層があるディスクであっても、使用可能と判断した層数まではメーカが保証する層数として明示し、例えば層数の多いものほど価格を高く設定するなど、層数に応じた価格設定をして販売することができる。
【実施例２】
【００２９】
図２は、第２の実施例であり、実施例１のディスクに対応可能な光ディスク装置のブロック図である。
【００３０】
まず光ディスクに情報を記録する場合を説明する。
【００３１】
光ディスク１から光ピックアップ２を用いて検出した信号はフロントエンド回路３に入力される。フロントエンド回路３では、主にアナログ信号処理が行なわれてサーボ信号５、ウォブル信号６などが生成される。フロントエンド回路３から出力されたサーボ信号５は再生系信号処理回路７に入力される。再生系信号処理回路７では主にデジタル信号処理が行なわれてサーボ系駆動信号９が生成される。サーボ駆動信号９はドライバ回路１４に入力される。ドライバ回路１４では電力増幅等を行ない、光ピックアップ２内部のアクチュエータ（図示していない）、光ピックアップ全体を移動するためのモータ（図示していない）、光ディスク１を回転させるためのモータ１５を駆動する。またウォブル信号６は記録系信号処理回路２０に入力される。記録系信号処理回路２０ではデジタル信号処理によりアドレス検出、記録クロック生成が行われ、これらは情報を記録する際に用いられる。記録情報１７は外部装置１３からインタフェース信号１２を介してインタフェース回路１０に入力される。インタフェース回路１０は接続されているバッファメモリ１１を用いてデータのバッファリング等の処理を行い、記録情報１７を記録系信号処理回路２０に入力する。
【００３２】
光ディスクに情報を記録する際は、まず光ディスク１に記録されている前記、識別情報または物理的記録層と論理的記録層との対応情報（以下、使用可能層情報と称する）を読み取る。本実施例では使用可能層情報はＢＣＡ情報やＩＤ情報に存在するため、これらの情報を光ピックアップ２を使って検出する。次にこれらの検出情報に対して再生系信号処理回路７または記録系信号処理回路２０により必要な処理を行って前記、使用可能層情報を再生する。再生した使用可能層情報はホストＰＣで動作する記録制御プログラムソフトウェアもしくは記録制御機能を持つオペレーティングシステムソフトウェア等に送られ、記録層情報記録用メモリ１００に記憶される。また、該記録制御ソフトウェアの指示に従い、記録に使用する物理的情報記録層が決められる。記録対象として決められた物理的情報記録層に対応する情報は光ディスク記録再生装置に送られる。光ディスク記録再生装置では送られた情報をもとにまず記録対象となる物理的情報記録層に必要に応じ層間アクセス処理をする。次に記録対象となる物理的情報記録層におけるＯＰＣエリアに層内アクセス処理を行い、記録パワーを決めるための試し書き等の処理を行う。最適記録パワーが決ると次に層内アクセス処理を行い、所望の記録開始アドレスから所定量手前のアドレスへのアクセスを行い、目標の記録開始アドレスが検出されるのを待つ。そして目標の記録開始アドレスが検出されると光ディスク1の物理的情報記録層に対して情報記録が開始される。
【００３３】
次に光ディスクから情報を再生する場合を説明する。
【００３４】
光ディスク１から光ピックアップ２を用いて検出した信号はフロントエンド回路３に入力される。フロントエンド回路３では、主にアナログ信号処理が行なわれてＲＦ信号４、サーボ信号５などが生成される。フロントエンド回路３から出力された、これらの信号は再生系信号処理回路７に入力される。再生系信号処理回路７では主にデジタル信号処理が行なわれて再生情報８やサーボ系駆動信号９などが生成される。再生情報８はインタフェース回路１０に入力される。インタフェース回路１０は接続されているバッファメモリ１１を用いてデータのバッファリング等の処理を行い、インタフェース信号１２を介して外部装置１３に情報を出力する。一方、サーボ駆動信号９はドライバ回路１４に入力される。ドライバ回路１４では電力増幅等を行ない、光ピックアップ２内部のアクチュエータ（図示していない）、光ピックアップ全体を移動するためのモータ（図示していない）、光ディスク１を回転させるためのモータ１５を駆動する。
【００３５】
光ディスクから情報を再生する際も、まずディスクに記録されている前記、ＢＣＡ情報やＩＤ情報を光ピックアップ２を使って検出する。次にこれらの検出情報に対して再生系信号処理回路７または記録系信号処理回路２０により必要な処理を行って前記、使用可能層情報を再生する。再生した使用可能層情報はホストＰＣで動作する再生制御プログラムソフトウェアもしくは再生制御機能を持つオペレーティングシステムソフトウェア等に送られ、記録層情報記録用メモリ１００に記憶される。また、該再生制御ソフトウェアの指示に従い、再生を行う物理的情報記録層が決められる。再生対象として決められた物理的情報記録層に対応する情報は光ディスク記録再生装置に送られる。光ディスク記録再生装置では送られた情報をもとにまず再生対象となる物理的情報記録層に層間アクセス処理をする。次に層内アクセス処理を行い、所望の再生開始アドレスから所定量手前のアドレスへのアクセスを行う。なお、再生処理の場合は、記録動作における記録パワー決定のための試し書き処理が不要なので、前記、層間アクセス処理と層内アクセス処理の順序が入れ替わっても差し支えない。そして目標の再生開始アドレスに到達すると光ディスク1の物理的情報記録層からの情報再生が開始される。
【００３６】
なお、実際の光ディスク機器における情報の記録、再生では上述以外にもチルトサーボ、球面収差補正、アクセス、ＲＦ信号復調、誤り検出／訂正等さまざまな処理、回路が連係して動作しているが、これらについては本発明とは直接の関係は無いので説明を省略する。
【図面の簡単な説明】
【００３７】
【図１】第１実施例における光ディスクの模式図
【図２】第２実施例における光ディスク装置のブロック図
【図３】第１実施例における光ディスクの層情報記録領域と使用可能層情報の配置の模式図
【図４】記録層情報の格納方法の一例を示す模式図
【符号の説明】
【００３８】
１：光ディスク
２：光ピックアップ
３：フロントエンド回路
７：再生系信号処理回路
１０：インターフェース回路
１１：バッファメモリ
１３：外部装置
１４：ドライバ回路
１５：モータ
１６：マイクロコンピュータ
２０：記録系信号処理回路
１００：記録層情報記録用メモリ
【図１】
2008204576.tif 000003
【図２】
2008204576.tif 000004
【図３】
2008204576.tif 000005
【図４】
2008204576.tif 000006